(57)【特許請求の範囲】
【請求項１】
端末器に循環供給する熱媒の戻り口から熱媒加熱手段を経由して熱媒の吐出口に至る熱媒通路を備えた熱源機における前記戻り口又は前記吐出口に接続される熱源機用継手であって、
前記戻り口又は前記吐出口に接続する熱源機側接続部、端末器側の熱媒通流管が接続される端末側接続部、検査用流体の供給管が接続される検査用接続部、および、前記熱源機側接続部と前記端末側接続部とを連通接続するとともに前記検査用接続部が前記熱源機側接続部および前記端末側接続部に対して遮断される熱媒通流状態と、前記検査用接続部と前記端末側接続部とを連通接続するとともに前記検査用接続部および前記端末側接続部が前記熱源機側接続部に対して遮断される検査状態とに切換え操作自在な切替弁が備えられ、
前記熱媒通流状態と前記検査状態とのうちの一方側に前記切替弁を復帰付勢するスプリングと、他方側に操作された前記切替弁を復帰付勢力に抗して保持する保持手段が設けられ、
前記切替弁が前記スプリングによって前記検査状態に復帰付勢され、
前記切替弁が前記熱媒通流状態と前記検査状態とにスライドによって切り換わるように構成し、前記切替弁をスライド操作して前記熱媒通流状態と前記検査状態とに切り換え操作するべく切替弁に一体にスライド移動するように備えてある操作部と、この操作部に受け止め作用することによって切替弁を復帰付勢力に抗して保持するストッパーとによって前記保持手段を構成するとともに、前記操作部を回転操作によって前記ストッパーに係脱させるように構成してある熱源機用継手。
【発明の詳細な説明】
【０００１】
【発明の属する技術分野】
本発明は、端末器に循環供給する熱媒の戻り口から熱媒加熱手段を経由して熱媒の吐出口に至る熱媒通路を備えた熱源機における前記戻り口又は前記吐出口に接続される熱源機用継手に関する。
【０００２】
【従来の技術】
上記熱源機用継手として、従来、図８および図９に示すように、一つの熱源機側接続部４２、複数個の端末側接続部４６、熱源機側接続部４２を各端末側接続部４６に対して連通接続させたり、遮断したりする一つの切替弁４４を備えるものがあった。
すなわち、たとえば一般家庭用の給湯装置において、図１０（イ）に示すように暖房熱源機における熱媒通路２２，２３の吐出口２２ａおよび戻り口２３ａをこの継手によって暖房用端末器３０の熱媒通流管３１に接続する。そして、給湯システムの施工が完了した場合など、吐出口側、戻り口側それぞれの継手における切替弁４４のネジ式操作部４４ａを回転操作して切替弁４４を図８に示す検査状態に切り換えることにより、熱源機側接続部４２を各端末側接続部４６に対して遮断させて熱源機側に圧力が漏れないように熱源機側の熱媒通路２２，２３と端末器側の熱媒通流管３１との連通を断ち、吐出口側と戻り口側のいずれか一方の継手４０における複数個の端末側接続部４６のうちの端末器側の熱媒通流管３１が接続していない端末側接続部４６に検査用流体の供給管６０を接続して端末器側の熱媒通流管３１に検査用流体を供給して加圧する。つまり、複数個の端末側接続部４６のうちの一つを検査用接続部として、端末器側の気密検査を行う。そして、通常時は、図９および図１０（イ）に示すように、吐出口側、戻り口側それぞれの継手４０，５０における切替弁４４を操作部４４ａの回転操作によって図９に示す熱媒通流状態に切り換えることにより、熱源機側接続部４２を各端末側接続部４６に連通接続させ、熱源機側と端末器側との間を熱媒が循環するように熱源機側の熱媒通路２２，２３と端末器側の熱媒通流管３１とを連通させるものである。
【０００３】
【発明が解決しようとする課題】
たとえば一般家庭用の給湯装置の場合、検査用流体としてエアーを採用すればコンプレッサーを準備する必要があることと、水道水ならば容易に得られるとともに熱媒に混入しても支障がないこととから、水道水を検査用流体として検査されることがある。
このように液体を検査用流体として採用した場合には、検査を終えて流体供給管を継手から外した際、端末器側の熱媒通流管に充満していた液体が継手から漏れ出る事態が発生する。たとえば継手がメータボックスに配置されている場合、流出水のためにメータが故障することがある。
本発明の目的は、検査用流体の流出を回避しながら検査できる熱源機用継手を提供することにある。
【０００４】
【課題を解決するための手段】
目的を達成するために、請求項１に記載の発明によれば、熱源機における熱媒の戻り口又は吐出口に接続する熱源機側接続部、端末器側の熱媒通流管が接続される端末側接続部、検査用流体の供給管が接続される検査用接続部、および、前記熱源機側接続部と前記端末側接続部とを連通接続するとともに前記検査用接続部が前記熱源機側接続部および前記端末側接続部に対して遮断される熱媒通流状態と、前記検査用接続部と前記端末側接続部とを連通接続するとともに前記検査用接続部および前記端末側接続部が前記熱源機側接続部に対して遮断される検査状態とに切換え操作自在な切替弁が備えられている。
すなわち、熱源機側接続部を熱源機における熱媒の戻り口又は吐出口に、端末側接続部を端末器側の熱媒通流管にそれぞれ接続することにより、熱源機側の熱媒通路と端末器側の熱媒通流管とを接続させるものである。そして、検査用接続部に検査用流体の供給管を接続するとともに切替弁を検査状態に切り換え操作すると、検査用接続部と端末側接続部とが連通接続されるとともに検査用接続部および端末側接続部が熱源機側接続部に対して遮断されることにより、供給管からの検査用流体を端末器の熱媒通流管に供給してこの熱媒通流管に加圧できる。この状態から切替弁を熱媒通流状態に切り換え操作すると、熱源機側接続部と端末側接続部とが連通接続されるとともに検査用接続部が熱源機側接続部および端末側接続部に対して遮断されることにより、熱源機側と端末器側との間を熱媒が循環するように熱源機側の熱媒通路と端末器側の熱媒通流管とを連通させることができ、かつ、端末器の熱媒通流管に充満している検査用流体が検査用接続部から流出しないようにしながら検査用流体の供給管を検査用接続部から取り外すことができる。
したがって、端末器の熱媒通流管に検査用流体を供給して端末器側の気密検査を行うことができるとともに、熱媒通流管に充満した検査用流体が後に検査用接続部から流出することを回避でき、たとえば給湯装置の場合には、水道水を検査用流体として採用し、コンプレッサーを不要にして安価かつ楽に、しかも、水流出によるメータ故障などのトラブル発生を回避しならがら検査できるなど有利に気密検査できる。
【０００５】
また、請求項１に記載の発明によれば、熱媒通流状態と検査状態とのうちの一方側に切替弁を復帰付勢するスプリングと、他方側に操作された切替弁を復帰付勢力に抗して保持する保持手段が設けられ、保持手段による保持を解除すれば、切替弁がスプリングのために熱媒通流状態と検査状態とのうちの一方側に自ずと復帰するものである。
したがって、保持手段による保持を解除する簡単な操作を行うだけで楽に切替弁を熱媒通流状態と検査状態の一方側に切り換えられる。また、切替弁がねじ式操作部の回動操作によって切り換え操作するものであれば、所定の熱媒通流状態又は検査状態まで十分に切り換えないで半開状態にされるなど切り換え不足が発生しやすくなるのに対し、スプリングによって所定の操作状態まで十分に切り換えられて、切り換え不足を発生しにくくしながら切り換え操作でき、熱媒通流状態または検査状態に迅速かつ楽にしかも精度よく切り換えられる。
【０００６】
また、請求項１に記載の発明によれば、切替弁がスプリングによって前記検査状態に復帰付勢され、切替弁を熱媒流通状態に保持手段によって保持させながら熱媒を熱源機側と端末器側との間で循環流動させるものである。すなわち、切替弁をスプリングの付勢力で熱媒流通状態に保持させながら熱媒を循環流動させるよう構成した場合、スプリングが劣化すれば切替弁が検査側にずれ動く事態が発生しやすくなるが、スプリングに劣化が発生しても切替弁を検査側にずれ動きにくように強固に保持させながら熱媒を循環流動させることを可能にするものである。したがって、熱媒が長期にわたって漏れ出にくいように信頼性の高いものになる。
【０００７】
また、請求項１に記載の発明によれば、切替弁が熱媒通流状態と検査状態とにスライドによって切り換わるように構成し、切替弁を熱媒通流状態と検査状態とに切り換え操作するべく切替弁に備えてある操作部と、この操作部に受け止め作用することによって切替弁を復帰付勢力に抗して保持するストッパーとによって前記保持手段を構成するとともに、操作部を回転操作によって前記ストッパーに係脱させるように構成し、操作部をスライド操作して切替弁を熱媒通流状態又は検査状態に切り換え、その操作部を回転操作してストッパーに受け止めさせることによって切替弁を熱媒通流状態又は検査状態に保持させるものである。したがって、操作部を回転させるとともにスライドさせる簡単な操作を行うだけで楽に切替弁を熱媒通流状態と検査状態とに切り換えられるように操作面で有利なものにできた。
【０００８】
【発明の実施の形態】
図１に示すように、フィンチューブ型の給湯熱交換器２を備える一般用給湯装置１と、フィンチューブ型の追焚熱交換器１１を備える風呂用給湯装置１０と、熱媒加熱手段の一例としてのフィンチューブ型の暖房熱交換器２１を備える暖房用熱源機２０とにより、一般家庭用の給湯装置を構成してある。この給湯装置は、カランやシャワーなどの一般給湯栓３に湯水を供給し、浴槽１２に湯水を張るととも浴槽１２の湯水を追焚し、床暖房装置、浴室暖房装置、食器洗浄機、ファンコンベクタなどの暖房用端末器３０に熱媒としての湯水を循環供給するものであり、詳しくは次の如く構成してある。
【０００９】
一般用給湯装置１は、前記給湯熱交換器２、この給湯熱交換器２の入口側に接続している給水路４、給湯熱交換器２の出口側に接続している給湯路５、給湯熱交換器２を加熱する給湯ガスバーナ６によって構成してあり、給水路４を家庭用の水道管に接続し、給湯路５を前記給湯栓３に連通している栓側給湯管７に接続することにより、水道管からの水を給水路４によって給湯熱交換器２に供給して加熱し、加熱後の湯水を給湯路５によって給湯栓３に供給する。給水路４には、水フィルター４ａ、アキュムレータ４ｂ、給水サーミスタ４ｃ、水量センサ４ｄ、水道管からの水を給湯熱交換器２を迂回させて給湯路５に供給する給水バイパス路４ｅを備えてある。給湯路５には、給湯サーミスタ５ａ、給湯熱交換器２からの湯水と給水バイパス路４ｅからの水との混合比を調整するミキシングバルブ５ｂ、ミキシングサーミスタ５ｃ、水比例バルブ５ｄ、割り込み水量センサ５ｅ、過圧防止装置５ｆを備えてある。給湯熱交換器２には、給湯残火安全装置８を備えてある。
【００１０】
風呂用給湯装置１０は、前記追焚熱交換器１１、この追焚熱交換器１１の入口側に接続している風呂戻り路１３、追焚熱交換器１１の出口側に接続している風呂往き路１４、前記風呂戻り路１３と前記給湯路５とを連通させている湯張り路１５、追焚熱交換器１１を加熱する前記給湯ガスバーナ６によって構成してあり、風呂戻り路１３が備えている継手１３ａによって風呂戻り路１３を浴槽１２の循環アダプター１２ａから延びる浴槽側戻り路１２ｂに接続するとともに、風呂往き路１４が備えている継手１４ａによって風呂往き路１４を前記アダプター１２ａから延びる浴槽側往き路１２ｃに接続することにより、浴槽１２に湯水を張ったり浴槽１２の湯水を追焚したりする。すなわち、給湯路５からの湯水を湯張り路１５によって風呂戻り路１３に供給して追焚熱交換器１１、風呂往き路１４および風呂側往き路１２ｂを通して浴槽１２に供給する。前記風呂戻り路１３が備えている追焚循環ポンプ１６を駆動すると、このポンプ１６の送り作用により、浴槽１２の湯水を追焚熱交換器１１と浴槽１２との間で循環させて追焚する。
【００１１】
風呂戻り路１３には、この風呂戻り路１３に作用する圧力に基づいて浴槽１２内の水位を検出する水位センサ１７、風呂戻りサーミスタ１３ｂ、風呂二方弁１３ｃ、エアー置換用電磁弁１３ｄ、水流スイッチ１３ｅを備えてある。追焚熱交換器１１には、風呂往きサーミスタ１１ａを備えてある。湯張り路１５には注湯電磁弁１５ａを備えてある。
【００１２】
暖房用熱源機２０は、前記暖房熱交換器２１、この暖房熱交換器２１の出口側に接続している高温暖房往き路２２および補給水タンクＴの入口側に接続している熱媒戻り路２３などで成る高温側の熱媒通路ＨＲ、前記補給水タンクＴの出口側と暖房熱交換器２１の入口側とを連通させている熱媒通路２４から分岐している低温暖房往き路２５および前記熱媒戻り路２３などで成る低温側の熱媒通路ＬＲ、暖房熱交換器２１を加熱する暖房ガスバーナ２６によって構成してあり、前記高温暖房往き路２２の一端側に備えてある高温側熱媒通路ＨＲの吐出口２２ａを、高温型暖房用端末器３０に接続している端末器側の熱媒通流管３１のうちの受入れ側管部３１ａに接続するとともに、前記熱媒戻り路２３の一端側に備えてある高温側熱媒通路ＨＲの戻り口２３ａを、前記熱媒通流管３１のうちの吐出側管部３１ｂに接続し、前記熱媒通路２４に備えてある熱媒循環ポンプ２７を駆動することにより、熱媒としての高温湯水を暖房用端末器３０に循環供給する。前記低温暖房往き路２５の一端側に備えてある低温側熱媒通路ＬＲの吐出口２５ａを低温型暖房用端末器（図示せず）に接続している熱媒通流管（図示せず）の受入れ側管部に接続するとともに、前記熱媒戻り路２３の一端側に備えてある低温側熱媒通路ＬＲの戻り口２３ａを前記熱媒通流管の吐出側管部に接続して前記熱媒循環ポンプ２７を駆動することにより、熱媒としての低温湯水を低温型暖房用端末器に循環供給する。高温側熱媒通路ＨＲと低温側熱媒通路ＬＲの戻り口２３ａも戻り路２３も共通になっている。
【００１３】
すなわち、前記熱媒循環ポンプ２７を駆動すると、このポンプ２７の送り作用と、前記高温暖房往き路２２の暖房熱交換器２１の近くに備えてある暖房往き高温サーミスタ２２ｂ、前記低温暖房往き路２５の前記熱媒通路２４の近くに備えてある暖房往き低温サーミスタ２５ｂ、前記熱媒戻り路２３に備えてある暖房戻りサーミスタ２３ｂそれぞれの検出結果に基づく湯水流動の管理とにより、前記給水路４からタンク給水路２８を介して水道水が供給される前記補給水タンクＴの水が熱媒通路２４に流入し、暖房熱交換器２１で加熱された湯水が高温暖房往き路２２に供給されて高温型端末器３０に供給され、高温型端末器３０から戻る湯水も低温型端末器から戻る湯水も熱媒戻り路２３によって補給水タンクＴに戻され、このタンクＴから熱媒通路２４に流入して低温熱媒往き路２５に供給されたり、暖房熱交換器２１に供給されたりする。これにより、高温暖房往き路２２、熱媒戻り路２３、熱媒通路２４、補給水タンクＴが、戻り口２３ａから暖房熱交換器２１を経由して吐出口２２ａに至る前記高温側の熱媒通路ＨＲを形成し、この熱媒通路ＨＲにより、熱媒としての高温湯水を高温型の暖房端末器３０に循環供給する。そして、低温暖房往き路２５、熱媒戻り路２３、補給水タンクＴ、熱媒通路２４などが戻り口２３ａから暖房熱交換器２１を経由して吐出口２５ａに至る前記低温側の熱媒通路ＬＲを形成し、この熱媒通路ＬＲにより、熱媒としての低温湯水を低温型の暖房端末器に循環供給する。
【００１４】
前記タンク給水路２８には、補給水バルブ２８ａ、補給水電磁弁２８ｂを備えてある。補給水タンクＴには、水位の上限を検出する上限センサ２９ａ、水位の下限を検出する下限センサ２９ｂ、オーバフロー路２９ｃを備えてある。前記給湯ガスバーナ６および暖房ガスバーナ２６に燃焼ガスを供給するガス供給路３６には、元ガス電磁弁３６ａ、給湯ガス比例弁３６ｂ、給湯ガス電磁弁３６ｃ、ガス切替電磁弁３６ｄ、暖房ガス電磁弁３６ｅ、暖房ガス比例弁３６ｆを備えてある。
【００１５】
図１に示すように、前記熱媒通路ＨＲ，ＬＲには、高温暖房往き路２２を端末器３０における熱媒通流管３１に接続する往き側継手４０、低温側暖房往き路２５を端末器における熱媒通流管３１に接続する往き側継手４０、熱媒戻り路２３を高温型端末器３０および低温型端末器それぞれの熱媒通流管３１に接続する戻り側継手５０を備えてある。
【００１６】
図２に示すように、前記高温暖房側の往き側継手４０も、低温暖房側の往き側継手４０も、連結ねじ４１が付いている熱源機側接続部４２を一端側に備え、他端側に検査用接続部４３を備え、内部に耐熱性の合成樹脂で作製した切替弁４４を備えている継手本体４５と、端末側接続部４６を一端側に備えているとともに他端側が継手本体４５の連結筒部４５ａに内嵌して継手本体４５に連結している接続部形成体４７とによって構成してある。前記連結ねじ４１を前記高温暖房往き路２２の端部に締め付け連結することにより、前記熱源側接続部４２を高温側熱媒通路ＨＲの吐出口であるところの高温暖房往き路２２の吐出口２２ａに対して接続でき、前記端末側接続部４６は、前記熱媒通流管３１の受入れ側管部３１ａの端部に内嵌させることによって前記熱媒通流管３１に対して接続できるのであり、これらの接続操作を行うことにより、往き側継手４０が高温側熱媒通路ＨＲの高温暖房往き路２２と端末器側の熱媒通流管３１とを接続する状態になる。
【００１７】
前記検査用接続部４３は、図１に一点鎖線で示す如く前記風呂往き路１４が有する前記継手１４ａに備えられている水抜き部１４ｂに一端側を接続した供給管６０の他端側を接続したり、分離させたりするように構成してある。すなわち、供給管６０を接続することにより、検査用流体としての水を風呂往き路１４から導入できるようにしてある。供給管６０を接続しない場合は、図２（イ）に示すように、検査用接続部４３に対する栓部材６１と、この栓部材６１を検査用接続部４３に固定するばね材製のクリップ型栓ホルダー６２とを装着して、検査用接続部４３を閉じておく。図７に示すように、前記供給管６０は、前記水抜き部１４ｂに接続する水抜き側アダプター６０ａを一端側に、前記検査用接続部４３に差し込み接続する継手６０ｂを他端側にそれぞれ備える検査チューブによって作製してある。
【００１８】
前記切替弁４４は、これに一端側が一体摺動自在に連結している操作軸兼用の支軸４８を介して継手本体４５の支持部４５ｂに支持されているとともにこの支軸４８が前記支持部４５ｂを摺動自在に挿通していることにより、継手本体４５の筒部内にこれの軸芯方向にスライド移動自在に位置している。前記支軸４８の継手本体４５から外部に突出している端部に取り付けた丸棒材で形成することによって切替弁４４にこれと一体にスライド移動するように備えさせた操作部４４ａにより、切替弁４４を継手本体４５に対してスライド操作し、図２（イ）に示すように、切替弁４４の支軸連結用のボス部が継手本体４５のストッパー部４５ｃに当接する状態にすると、切替弁４４が熱媒通流状態になり、往き側継手４０は湯水が検査用接続部４３から漏れ出ないようにしながら高温暖房往き路２２から熱媒通流管３１に湯水供給できる状態になる。すなわち、継手本体４５の熱源機側接続部４２に連通している内部通路４５ｄと接続部形成体４７の端末側接続部４６に連通している内部通路４７ａとを連通させることによって熱源機側接続部４２と端末側接続部４６とを連通接続させ、継手本体４５の検査用接続部４３に連通している内部通路４５ｅを前記内部通路４５ｄおよび前記内部通路４７ａに対して遮断することによって検査用接続部４３を熱源機側接続部４２および端末側接続部４６に対して遮断する。
図２（ロ）に示すように、切替弁４４の支軸４８延出側とは反対側の側面が継手本体４５の内部に耐熱性の合成樹脂製筒体４９によって形成してある弁座４９ａに当接する状態にすると、切替弁４４が検査状態となり、往き側継手４０は検査用接続部４３からの水が熱源機側接続部４２に流入しないようにしながら端末側接続部４６に供給できる状態になる。すなわち、継手本体４５の前記内部通路４５ｄと接続部形成体４７の内部通路４７ａとを連通させることによって検査用接続部４３と端末側接続部４６とを連通接続させ、継手本体４５の内部通路４７ｄを接続部形成部材４７の内部通路４７ａに連通する箇所よりも熱源機側接続部４２の方によった箇所で閉じることにより、検査用接続部４３および端末器側接続部４６を熱源機側接続部４２に対して遮断する。
【００１９】
図３に示すように、前記戻り側継手５０は、連結ねじ５１が付いている熱源機側接続部５２を一端側に備え、他端側に検査用接続部５３を備え、内部に耐熱性の合成樹脂で作製した切替弁５４を備えている継手本体５５と、複数個の端末側接続部５６を一端側に備えているとともに他端側が継手本体５５の連結筒部５５ａに内嵌して継手本体５５に連結している筒体で成る接続部形成体５７とによって構成してある。前記連結ねじ５１を前記熱媒戻り路２３の端部に締め付け連結することにより、前記熱源側接続部５２を高温側熱媒通路ＨＲの戻り口であるところの熱媒戻り路２３の戻り口２３ａに対して接続でき、前記端末側接続部５６は、高温型端末器３０および低温型端末器それぞれにおける前記熱媒通流管３１の吐出側管部３１ｂの端部に付設のアダプタを連結することによって高温型端末器３０および低温型端末器の前記熱媒通流管３１に対して接続できるのであり、これらの接続操作を行うことにより、戻り側継手５０は高温側熱媒通路ＨＲおよび低温側熱媒通路ＬＲの戻り路２３を高温型端末器側の熱媒通流管３１にも低温型端末器側の熱媒通流管３１にも接続する状態になる。
【００２０】
前記検査用接続部５３は、前記往き側継手４０の検査用接続部５３と同様に構成してある。すなわち、前記風呂往き路１４が有する前記継手１４ａに備えられている水抜き部１４ｂに一端側を接続した供給管６０の他端側を接続したり、分離させたりするように構成してある。
【００２１】
前記切替弁５４は、前記往き側継手４０の切替弁４４と同様に構成してある。すなわち、切替弁５４の支軸５８の端部に連結する棒材でなる切替弁５４の操作部５４ａにより切替弁５４をスライド操作し、図３（イ）に示すように、切替弁５４の支軸連結用のボス部が継手本体５５のストッパー部５５ｃに当接する状態にすると、切替弁５４が熱媒通流状態になり、戻り側継手５０は湯水が検査用接続部５３から漏れ出ないようにしながら熱媒通流管３１から熱媒戻り路２３に湯水供給できる状態になる。すなわち、継手本体５５の熱源機側接続部５２に連通している内部通路５５ｄと接続部形成体５７の各端末側接続部５６に連通している内部通路５７ａとを連通させることによって熱源機側接続部５２と各端末側接続部５６とを連通接続させ、継手本体５５の検査用接続部５３に連通している内部通路５５ｄを前記内部通路５５ｄおよび前記内部通路５７ａに対して遮断することによって検査用接続部５３を熱源機側接続部５２および各端末側接続部５６に対して遮断する。
図３（ロ）に示すように、切替弁５４の支軸５８延出側とは反対側の側面が継手本体５５の内部に耐熱性の合成樹脂製筒体５９によって形成してある弁座５９ａに当接する状態にすると、切替弁５４が検査状態となり、戻り側継手５０は検査用接続部５３からの水が熱源機側接続部５２に流入しないようにしながら各端末側接続部５６に供給できる状態になる。すなわち、継手本体５５の前記内部通路５５ｄと接続部形成体５７の内部通路５７ａとを連通させることによって検査用接続部５３と各端末側接続部５６とを連通接続させ、継手本体５５の内部通路５７ｄを接続部形成部材５７の内部通路５７ａに連通する箇所よりも熱源機側接続部５２の方によった箇所で閉じることにより、検査用接続部５３および各端末器側接続部５６を熱源機側接続部５２に対して遮断する。
前記複数個の端末器側接続部５６のうちの熱媒通流管３１を接続しない端末器側接続部５６は、栓部材６４を装着して水が漏れ出ないように閉じておく。
【００２２】
端末器３０を設置した後などにおいて端末器側の熱媒通流管３１の気密検査を行うに当たり、エアーを検査用流体として行ってもよいが、水を検査用流体として次の如く行えるようにしてある。
すなわち、高温型の方の端末器３０における気密検査を行うに当たり、図１および図６に示す如く浴槽１２に、これの循環アダプター１２ａの湯水給排出口を閉じる安全弁付きの栓部材６５を取り付けるとともに、往き側継手４０と戻り側継手５０のうちのいずれか一方の継手４０，５０の検査用接続部４３，５３を前記供給管６０によって前記風呂往き路１４の前記水抜き部１４ｂに連通接続する。往き側継手４０の切替弁４４も戻り側継手５０の切替弁５４も前記熱媒通流状態に切り換えた状態にし、栓部材６５の安全弁を開にするとともに注湯電磁弁１５ａを開き、湯張り路１５から追焚系統および供給管６０に水を供給して追焚系統および供給管６０に水を充満させるとともに空気抜きを行う。次に、栓部材６５の安全弁を閉じに切り換え、タンク給水路２８を開いて熱媒循環ポンプ２７を駆動し、熱源機２０の熱媒通路ＨＲと端末器側の熱媒通流管３１とに水を供給し、補給水タンクＴの下限センサ２９ｂが検出状態になってから設定時間が経過すると給水を停止し、端末器側の熱媒通流管３１に水を充満させるとともにこの熱媒通流管３１の空気抜きを行う。すなわち、熱媒通流管３１の内部空気を熱媒通路ＨＲを通して補給水タンクＴから流出させる。これらの空気抜きが完了すると、往き側継手４０の切替弁４４も戻り側継手５０の切替弁５４も前記検査状態に切り換え操作し、風呂往き路１２からの水を供給管６０によって継手４０，５０に供給し、この給水によって端末器側の熱媒通流管３１に加圧する。このとき、風呂戻り路１３が備えている水位センサ１７が設定圧になるまで加圧する。この後、加圧操作を停止し、風呂戻り路１３の水位センサ１７により、圧力低下の有無を検出したり、圧力低下の速度を検出し、著しい圧力低下や、急速度の圧力低下がなければ端末器３０における熱媒通流管３１が良好な気密状態にあると判断する。
この気密検査を完了すると、供給管６０を継手４０，５０から取り外し、往き側継手４０の切替弁４４も戻り側継手５０の切替弁５４も前記熱媒通流状態に切り換え操作して熱源機側の熱媒通路ＨＲを端末器側の熱媒通流管３１に連通させる。
低温型の方の端末器における気密検査を行う場合には、低温側の往き側継手４０と戻り側継手５０のうちのいずれか一方の検査用接続部４３，５３に前記供給管６０を接続し、その他は、高温型端末器における気密検査と同様に行う。
また、高温型と低温型の両端末器が接続されている場合、供給管６０を戻り側継手５０の検査用接続部５３に接続し、高温型端末器３０の熱媒通流管３１と低温型端末器の熱媒通流管とを同時に気密検査する。
【００２３】
図２または図３に示すように、前記往き側継手４０においても戻り側継手５０においても、継手本体４５，５５のばね受け部と切替弁４４，５４との間に設けたコイル型のスプリング６６によって切替弁４４，４５を前記検査状態に付勢してある。
前記操作部４４ａ，５４ａを支軸４８，５８の軸芯まわりで継手本体４５，５５に対して回動操作できるように支軸４８，５８に相対回転自在に支持させてある。
前記継手本体４５，５５を成型する際にこの継手本体４５，５５の一端側に同時に成型するとともに支軸４８，５８の両横側に分散するように配置した図５の如き一対のストッパー６７，６７と、前記操作部４４ａ，５４ａとにより、切替弁４４，５４をスプリング６６に抗して熱媒通流状態に保持する保持手段６８を構成し、操作部４４ａ，５４ａのスライド操作と回転操作とによって切替弁４４，４５を熱媒通流状態と検査状態とに切り換えるようにしてある。
すなわち、切替弁４４，５４が検査状態にある場合、操作部４４ａ，５４ａをストッパー６７，６７どうしの間からストッパー６７の先端側に引き出し操作し、ストッパー６７の先端側に出ると回転操作して操作部４４ａ，５４ａの両端部をストッパー６７の作用部６７ａに係止させる。すると、切替弁４４，５４が熱媒通流状態になるとともにスプリング６６が弾性変形した状態になり、各ストッパー６７，６７の作用部６７ａが操作部４４ａ，５４ａをスプリング６６によって引き戻されないように受け止め支持する。これにより、切替弁４４，５４は熱媒通流状態に切り換わるとともにこの熱媒通流状態に保持手段６８によってスプリング６６に抗して保持される。
各ストッパー６７，６７に受け止め支持されている操作部４４ａ，５４ａを回転操作して両ストッパー６７，６７から外す。すると、スプリング６６が操作部４４ａ，５４ａをストッパー６７どうしの間に引き込み操作するとともに切替弁４４，５４を検査状態に復帰付勢する。これにより、切替弁４４，５４が検査状態に自ずと切り換わる。
【００２４】
〔別実施形態〕
熱源機２０のみを備える装置の場合にも本発明は適用できる。この場合、継手４０，５０の検査用接続部に水道からの供給管を接続するとともに、この供給管などに圧力センサを装着して気密検査を行う。
高温型と低温型のいずれか一方の端末器にのみ熱媒を供給する装置の場合にも適用できる。
熱交換器２１がガスによって加熱される他に、電気や石油によって加熱される熱源機の場合にも、本発明は適用できる。
【図面の簡単な説明】
【図１】給湯装置全体の概略図
【図２】往き側継手の断面図
【図３】戻り側継手の断面図
【図４】継手の検査用接続部の斜視図
【図５】保持機構の斜視図
【図６】検査状態の説明図
【図７】供給管の説明図
【図８】従来の継手の検査状態での断面図
【図９】従来の継手の熱媒通流状態での断面図
【図１０】従来の継手の使用および検査状態の説明図
【符号の説明】
２１            熱媒加熱手段
２２ａ，２５ａ  吐出口
２３ａ          戻り口
３０            端末器
３１            熱媒通流管
４２，５２      熱源機側接続部
４３，５３      検査用接続部
４４，５４      切替弁
４４ａ，５４ａ  操作部
４６，５６      端末側接続部
６０            供給管
６６            スプリング
６７            ストッパー
６８            保持手段
【図１】
0003933324.tif 000002
【図２】
0003933324.tif 000003
【図３】
0003933324.tif 000004
【図４】
0003933324.tif 000005
【図５】
0003933324.tif 000006
【図６】
0003933324.tif 000007
【図７】
0003933324.tif 000008
【図８】
0003933324.tif 000009
【図９】
0003933324.tif 000010
【図１０】
0003933324.tif 000011